(57)【要約】  【課題】  本発明は、製造時にバリの発生が少なく、清掃性の良好な目皿を備えた防水パンを提供することを目的とする。  【解決手段】  本発明は、排水口と、この排水口を覆う目皿とを備えた防水パンにおいて、上記目皿が、上面を洗い場面とする平板と、この平板周囲に設けた高さの等しい周壁とを有し、上記排水口が、上記目皿の周壁を載置する周壁受を複数有した防水パンである。また、排水口の壁面であって、目皿の周壁と対向する部位が、上記排水口の壁面から突出する突起部を備えた防水パンである。  【選択図】  図５
2006291564.tif 000002
【特許請求の範囲】
【請求項１】
排水口と、この排水口を覆う目皿とを備えた防水パンにおいて、上記目皿が、上面を洗い場面とする平板と、この平板周囲に設けた高さの等しい周壁とを有し、上記排水口が、上記目皿の周壁を載置する周壁受を複数有した防水パン。
【請求項２】
請求項１において、排水口の壁面であって、目皿の周壁と対向する部位が、上記排水口の壁面から突出する突起部を備えた防水パン。
【発明の詳細な説明】
【技術分野】
【０００１】
本発明は、浴室ユニットに用いられる防水パンに関する。
【背景技術】
【０００２】
従来の防水パンについて、図面を用いて説明する。図１は、従来の防水パンの平面図であり、図２は、図１に記載される排水口に載置される目皿の平面図及び側面図、図３は、図１に記載される排水口の透視拡大図である。
【０００３】
図１に示すように、防水パン１は、洗い場２と浴槽載置部３とを備えており、洗い場２に排水口６が設置されている。そして、この排水口６には、図２に示すように目皿４が配置され、排水口が直接使用者の目に入ることがないようにし、外観を良好としている。
また、目皿４は、排水口清掃などの際に取り外しができるようになっている。
【０００４】
図２、３に示すように、目皿４は、表面が洗い場部分となる平板の周囲に周壁５を備えており、この周壁５が、防水パン１の脚受９の上に載せられ、平板を支える。洗い場２に流れる排水は、洗い場２に設けられた傾斜により目皿４へと集まり、排水口６と目皿４との間にある隙間８を通り、目皿４に設けた排水溝７より排水口６へと流れ込んで排水される。
【０００５】
目皿４は、排水を行えるように、排水口６の内寸よりも小さく、排水口６との間に排水を行うに充分な隙間８を有する大きさとする必要がある。
但し、目皿４を設置した際に、隙間８に起因するがたつきがあることは、使用者にとって好ましいものではないので、周壁５に突起１０を設けることで隙間を確保しつつ、がたつきを防止している。
【特許文献１】特開平９−１７７１５４号公報
【発明の開示】
【発明が解決しようとする課題】
【０００６】
しかしながら、従来の防水パンに用いられる目皿は、周壁に排水溝及び突起を設ける必要があるために、プレス成形にて製造するとバリが多く発生し、このバリ取り作業に多くの労力を費やすと共に材料が無駄になってしまう問題がある。
また、目皿の形状は複雑であり、使用者にとっては清掃が行いにくいという問題もある。
【０００７】
本発明は、製造時にバリの発生が少なく、清掃性の良好な目皿を備えた防水パンを提供することを目的とする。
【課題を解決するための手段】
【０００８】
（１）本発明は、排水口と、この排水口を覆う目皿とを備えた防水パンにおいて、上記目皿が、上面を洗い場面とする平板と、この平板周囲に設けた高さの等しい周壁とを有し、上記排水口が、上記目皿の周壁を載置する周壁受を複数有した防水パンである。
（２）項（１）において、排水口の壁面であって、目皿の周壁と対向する部位が、上記排水口の壁面から突出する突起部を備えた防水パンである。
【発明の効果】
【０００９】
本発明によれば、目皿の周壁高さを揃えると共に、排水口に複数の脚受を備えたことで、排水性能を満足させたまま目皿の形状を簡素化することができ、プレス成形にて目皿を製作してもバリの発生が最小限に抑えられ、容易に目皿の清掃を行うことができる。
【００１０】
また、排水口の壁面に突起部を設けた場合には、目皿の形状を簡素化したまま、がたつきを抑えることができ、使用感が向上される。
【発明を実施するための最良の形態】
【００１１】
本発明に用いる目皿は、上面を洗い場面とする平板と、この平板周囲に設けた高さの等しい周壁とを有している。
平板は、その上面が、目皿を排水口に設置した状態で洗い場面となり、防水パンに設けてある洗い場と略同一高さとし、目皿部分での段差が生じないようにすることが好ましい。
周壁は、平板の裏面周囲に設けられるものであり、その厚みは特に制限されるものではないが、１〜１０ｍｍであることが好ましく、１ｍｍ未満であると使用者の加重による変形が生じやすく、１０ｍｍを超えると材料費が必要以上に多くなる。また、周壁の高さは、特に制限されるものではないが、３〜４０ｍｍであることが好ましい。
【００１２】
本発明に用いる排水口は、防水パンに設けられるものであり、洗い場にて発生した排水を移流させる。排水口を設ける位置は、特に制限されるものではないが、具体的には洗い場と浴槽載置部との境界部分に設けることが好ましく、このようにすることで、排水の流れを浴室出入口から遠くなる浴槽方向へと向かわせることができる。即ち、浴室出入口がバリアフリーとなって段差がない場合でも、この出入口方向への水の流れを最小限に留めることができる。
【００１３】
排水口は、目皿に設けた周壁を載置する周壁受を複数有している。排水口の平面形状は様々な形状を選択することができるが、最も一般的な四角形のものであれば、その四隅に周壁受けを配置することができる。これは、連続した１つの周壁受であれば、目皿を載置した際に、周壁受と周壁とが全周にて接触することになり、洗い場にて発生した排水の移流が行えなくなることを防ぐものである。
【００１４】
排水口の側壁は、周壁受よりも高い位置であって、目皿を載置した際に目皿の周壁と対向する部位に、目皿の周壁に向かって突出する突起部を設けることができる。この突起部は、排水口と目皿との隙間を確保しつつ、目皿のがたつきを阻止するものである。突起部の個数は、特に制限されるものではないが、複数設けることが好ましく、目皿の平面形状が多角形であれば、その辺１つに対し１つ設けることで、各辺に均等な隙間を形成することができ、より好ましい。
【実施例】
【００１５】
図４は、本発明の１実施例を示す防水パンの平面図、図５は、図４に示す防水パンに使用する目皿の平面図及び側面図、図６は、図５に示す目皿の裏面図である。
以下、図面を用いて本発明の実施例について説明する。防水パン１は、そのほぼ中央にて洗い場２と、浴槽載置部３とに分かれており、洗い場２と浴槽載置部３との境界部分の中央で洗い場側に排水口６を備えている。
洗い場２は、その床面に排水口６へと向かうなだらかな傾斜が設けられており、浴槽載置部３との境界となる部分に、洗い場床面よりも一段低くした排水流路１３を備えている。
【００１６】
排水口６は、平面視にて長方形をなし、洗い場にて発生した排水を受け入れ、排水トラップへと移流させる。そして、この排水口６は、浴室の通常使用状態において、図５及び図６に示す目皿４により覆われている。
【００１７】
目皿４は、平面視にて長方形をなし、取り外しを行いやすいように、設置時に浴槽載置部３に最も近い辺を斜めとすると共に、手掛部１４をなだらかな曲線にて設けている。
また、洗い場床面と略面一となる平板１１の四周には、周壁５が同一高さとなるように設けられており、この周壁５により平板１１を支えると共に、目皿４の強度を高めている。
【００１８】
目皿４の載置は、排水口６を覆うように行われるが、具体的には排水口６に設けた周壁受１２の上に周壁５を載置して行う。本実施例では、排水口６の四隅に平面視にて三角形となる周壁受１２を形成してあり、安定して目皿を受け止めることができるようにしている。周壁受は、目皿の周壁を同一高さで設けていることから、排水口の側壁を１周するような連続した１つのものとすると、排水の移流通路がなくなるので、少なくとも周壁受と周壁受との間に水路を形成できるように、複数設ける必要があり、目皿を安定して載置することができれば、その個数は２つでも、それ以上であっても良い。
【００１９】
図７及び図８は、本発明の別の実施例である排水口の拡大平面図である。
図７に示す排水口６は、周壁受１２が、対向する２辺に設けられており、排水が周壁受１２を設けていない他の２辺部分から流入するようになっている。このような周壁受１２を用いた場合には、周壁と周壁受けとの接地面積が多くなるので、より安定した状態で目皿を載置することができる。
【００２０】
図８に示す排水口６は、周壁受１２が、図７と同様に対向する２辺に設けられているものの、その２辺は短辺側となっている。この場合排水は、周壁受１２を設けていない長辺側より流入することとなり、図７に示したものよりも、単位時間当たりの排水量を多くすることができ、洗い場にて発生した排水を素早く排水口へと導くことができる。
【００２１】
目皿は、排水口に比べ平面視にて小さくしてあり、目皿を排水口に設置した際に、排水が通過する隙間ができるようにしている。具体的には、図４乃至図６に示すものでは、幅１．５ｍｍの隙間が目皿４の周囲に確保できるようにしている。この隙間は、排水通過のために必要なものであるが、床清掃時、目皿の上に使用者が乗った時などにがたつきが発生してしまう。このがたつきは、隙間の大きさを調整することにより気にならないようにすることはできるが、ある程度の排水量を確保することから、幅０．５ｍｍ以下にすることは好ましくない。
【００２２】
突起部１５は、このようながたつきを抑えるために設けられており、図４に示すように、排水口６の側壁であり、目皿を載置した際に周壁と対向する部分に設けられている。本実施例では、排水口６の各辺の中間部分に突起部１５を設けているが、必ずしも各辺に設ける必要はなく、結果としてがたつきがなくなるように、隣接する２辺に設けるようにしても良い。
【図面の簡単な説明】
【００２３】
【図１】従来例を示す防水パンの平面図である。
【図２】図１に示される排水口に設置される目皿の平面図及び側面図である。
【図３】図１に示される排水口の透視拡大図である。
【図４】本発明の１実施例を示す防水パンの平面図である。
【図５】図４に示す防水パンに使用する目皿の平面図及び側面図である。
【図６】図５に示す目皿の裏面図である。
【図７】本発明の別の実施例である防水パンに設けた排水口の拡大平面図である。
【図８】本発明の更に別の実施例である防水パンに設けた排水口の拡大平面図である。
【符号の説明】
【００２４】
１…防水パン、２…洗い場、３…浴槽載置部、４…目皿、５…周壁、６…排水口、７…排水溝、８…隙間、９…脚受、１０…突起、１１…平板、１２…周壁受、１３…排水流路、１４…手掛部、１５…突起部
【図１】
2006291564.tif 000003
【図２】
2006291564.tif 000004
【図３】
2006291564.tif 000005
【図４】
2006291564.tif 000006
【図５】
2006291564.tif 000007
【図６】
2006291564.tif 000008
【図７】
2006291564.tif 000009
【図８】
2006291564.tif 000010